(57)【要約】  コンプレッサアッセンブリが、コンプレッサと、端部およびこれらの端部間の中間部分を有し、かつ上記端部でコンプレッサと結合する少なくとも１つのパイプと、少なくとも１つのパイプの中間部分をコンプレッサに対して支持するための少なくとも１つの支持部材と、を備える。
2007529682.tif 000002
【特許請求の範囲】
【請求項１】
コンプレッサと、
端部とこれらの端部間の中間部分とを有し、かつ上記端部でコンプレッサに結合している少なくとも１つのパイプと、
この少なくとも１つのパイプの中間部分をコンプレッサに対して支持する少なくとも１つの支持部材と、
を備えることを特徴とするコンプレッサアッセンブリ。
【請求項２】
上記コンプレッサがベース部材を有し、上記少なくとも１つの支持部材が、上記ベース部材と上記中間部分とに結合していることを特徴とする請求項１に記載のコンプレッサアッセンブリ。
【請求項３】
上記少なくとも１つのパイプが、上記ベース部材に対して実質的に平行に、かつ上記ベース部材に対して垂直方向に距離を隔てて配置された複数のパイプを備えるとともに、上記少なくとも１つの支持部材は、複数のパイプの各々の中間部分に結合することを特徴とする請求項２に記載のコンプレッサアッセンブリ。
【請求項４】
上記複数のパイプが、コンプレッサから異なる距離間隔で配置されており、かつ上記少なくとも１つの支持部材が、上記異なる距離に対応するように階段状となったパイプ対向面を備えることを特徴とする請求項３に記載のコンプレッサアッセンブリ。
【請求項５】
上記少なくとも１つの支持部材が、異なる位置で上記中間部分に結合している複数の支持部材を備えることを特徴とする請求項１に記載のコンプレッサアッセンブリ。
【請求項６】
上記少なくとも１つの支持部材に上記中間部分を固定する少なくとも１つの固定具をさらに備えることを特徴とする請求項１に記載のコンプレッサアッセンブリ。
【請求項７】
上記固定具が、異なる寸法の中間部分を支持することができるように、上記少なくとも１つの支持部材に結合された調節可能なバンド固定具であることを特徴とする請求項６に記載のコンプレッサアッセンブリ。
【請求項８】
コンプレッサと、各々が端部と該端部間に延在する中間部分とを有し、かつ上記端部でコンプレッサと結合している少なくとも１つのパイプと、を含むコンプレッサアッセンブリを設け、
上記少なくとも１つのパイプの振動が減少するように、上記中間部分をコンプレッサに対して支持するために中間部分と結合した支持部材を配置する
ことを特徴とするコンプレッサと結合しているパイプの振動を減少させる方法。
【発明の詳細な説明】
【技術分野】
【０００１】
コンプレッサは、加熱、換気、空調および冷却などの種々の異なった要求に対して広く使用されている。このようなコンプレッサは、種々のシステムコンポーネントへの冷媒の流れを提供し、コンプレッサの様々な入口および出口に作動流体を運ぶために配管が必要とされることが多々ある。
【背景技術】
【０００２】
運転中、コンプレッサによって生じた振動がパイプに伝達され、損傷を引き起こすことがある。このような振動は、ガス脈動やコンプレッサの直接の振動などが原因となり得る。
【発明の開示】
【発明が解決しようとする課題】
【０００３】
上述したような振動に関する解決方法が求められている。従って、本発明の目的は、このような解決方法を提供することである。
【０００４】
本発明の他の目的および利点は、以下で明らかになるであろう。
【課題を解決するための手段】
【０００５】
本発明によれば、上述した目的および利点が容易に達成される。
【０００６】
本発明では、コンプレッサアッセンブリは、コンプレッサと、端部とこれらの端部間の中間部分とを含み、かつ端部でコンプレッサに結合している少なくとも１つのパイプと、上記少なくとも１つのパイプの中間部分をコンプレッサに対して支持するための少なくとも１つの支持部材と、を有している。
【０００７】
本発明の支持部材は、垂直方向に距離を隔ててパイプを有利に支持するように使用することができ、さらに、これらのパイプに生じる振動を大幅に減少するために、パイプの中間部分に沿った異なる位置で支持するように用いることでき、したがって、振動によってこれらのパイプが破損する頻度を減少させる。
【発明を実施するための最良の形態】
【０００８】
本発明は、コンプレッサのサブアッセンブリに関し、より詳しくは、パイプに生じる振動の問題を回避するようにパイプの振動を有利に減少させる、コンプレッサのパイプサブアッセンブリの支持部材に関する。
【０００９】
図１は、複数のコンプレッサ１２を備えるとともに、これらに結合したパイプ１４を含むコンプレッサアッセンブリ１０を示す。当業者に周知なように、所望の機能でコンプレッサ１２を利用する間、冷媒や他の流体を運ぶために、パイプ１４は、コンプレッサ１２の入口および出口などと連通している。
【００１０】
上述のように、コンプレッサ１２は、振動およびパイプ１４を通るガス脈動を生じさせるので、このようなガス脈動および振動がパイプ１４に伝達すると、パイプ１４は振動し、特に、コンプレッサ１２に対する振動ないしは運動が生じる。このような振動によって、早い段階でパイプに故障が生じ、メンテナンスおよび修復に費用がかかる可能性がある。
【００１１】
本発明によれば、コンプレッサ１２に対してパイプ１４を支持する支持部材１６を備えており、したがって、パイプ１４の振動が有利に減少する。
【００１２】
本発明によれば、コンプレッサ１２は、有利には、ベース部材１８を含み、この実施例では、コンプレッサ１２はベース部材１８に設置される。さらに、支持部材１６は、好ましく、ベース部材１８に取付けられ、かつパイプ１４にも取付けられる。
【００１３】
本発明では、パイプ１４は、コンプレッサ１２に結合している端部２０を有し、端部間に延在する中間部分２２を有する。符号の配置から明らかなように、中間部分は、端部２０間に延在するパイプ１４の領域全体を含むことを意図し、パイプ１４は、単純な直線状のパイプである必要はない。
【００１４】
本発明に従って、支持部材１６は、コンプレッサ１２に対し中間部分を支持するようにベース部材１８および中間部分２２に有利に取付けられ、したがってパイプ１４の振動を減少させる。
【００１５】
図１では、２つのパイプ１４が支持されており、これらのパイプがベース部材１８に対して実質的に水平方向、つまり実質的に平行に配置されている本発明の実施例を示している。またこれらのパイプ１４は、ベース部材１８から垂直方向に異なる距離に配置されており、さらに、通常、コンプレッサ１２から横方向に異なる距離に配置されている。
【００１６】
本発明によれば、支持部材１６は、両方のパイプ１４に結合するように有利に配置することができる。複数の支持部材（図１に示す実施例においては２つ）が、設けられ、かつ中間部分２２の長さに沿って離れて設置される。正確な位置と使用すべき支持部材の数は、支持すべきパイプの構成ならびにコンプレッサ１２の運転により生じる振動に基づいて決定される。
【００１７】
本発明の効果を示すために、図１に示される配置と同じように配置されたパイプにおいて、振動を評価した。図２は、パイプに沿った位置の関数として生じた振動を示している。支持部材のないパイプにおける振動は、いくつかの位置できわめて大きく、このような位置は、本発明にしたがって支持部材を配置するための最適な位置である。さらに、図２は、高周波数振動の２地点において支持部材を有するパイプにおける振動の周波数を示している。図２は、振動が実質的に有利に減少することを示している。
【００１８】
図１に戻ると、本発明の支持部材１６は、適宜な固定具を用いてパイプ１４の中間部分２２に対して固定することができる。好適な実施例においては、調整可能なバンド固定具２６が使用される。これらの調整可能なバンド固定具２６は、種々の直径を有するパイプ１４に対して支持部材１６を固定するために用いることができ、適している。
【００１９】
上述したように、通常のコンプレッサアッセンブリ１０には、ベース部材１８に対して垂直方向に距離を隔てて配置された様々な寸法のパイプ１４が使用される。さらに、これらのパイプは、コンプレッサ１２から横方向に異なる間隔で配置することが可能である。図１に示す実施例においては、上段のパイプ１４ａは、下段のパイプ１４ｂよりも直径が小さく、パイプ１４ｂよりもコンプレッサ１２の相当近くに配置される。このような配置において、例えば図１に示すように、支持部材１６は、パイプ１４に対向する階段状の面（ｓｔｅｐｐｅｄ  ｓｕｒｆａｃｅ）を有しており、したがって、１つの面２８は、下段のパイプ１４ｂに好適に結合するように配置され、他の面３０は、面２８に対して横方向に離れて位置し、パイプ１４ａに対して固定するのに適した位置となる。なお、図１では、異なる位置で２つのパイプに結合する支持部材１６が示されているが、パイプ１４は、有利には、異なる構成においても使用することもでき、例えば、３つまたはそれ以上のパイプを用いて、支持部材１６は、これらのパイプに対応する３つまたはそれ以上の階段状の面を有する場合もある。
【００２０】
図１は、コンプレッサ１２および支持部材１６の両方がベース部材１８に設置されている本発明の好適な実施例を示しているが、他の配置も可能である、と理解されたい。例えば、支持部材１６は、必要であれば、コンプレッサ１２とパイプ１４とを直接接続することもできる。しかしながら、図１の配置は、ベース部材１８が、これらのコンポーネントとともに使用する通常のベース部材であり、かつ所望のように支持部材１６を取付けるのに適した複数の設置面つまり領域を備えているので、特に望ましい。
【００２１】
本発明により提供される支持部材は、所望するようにパイプの振動を減少させるために有利に用いられ、したがって、コンプレッサおよびパイプアッセンブリの寿命が延びる。
【図面の簡単な説明】
【００２２】
【図１】本発明によるコンプレッサアッセンブリの概略図。
【図２】支持部材を伴ったパイプに生じる振動と比較した、支持部材を伴わないパイプに生じる振動の概略図。
【図１】
2007529682.tif 000003
【図２】
2007529682.tif 000004
【国際調査報告】
2007529682.tif 000005
2007529682.tif 000006